(57)【要約】【課題】褐斑病抵抗性キュウリ植物およびその製造方法を提供する。【解決手段】本発明の褐斑病抵抗性キュウリ植物は、第６染色体上に褐斑病抵抗性遺伝子座を有する。本発明の褐斑病抵抗性キュウリ植物と、うどんこ病抵抗性キュウリ植物とを交雑することによって、褐斑病抵抗性およびうどんこ病抵抗性を備えるキュウリ植物の品種が得られる。このため、本発明の褐斑病抵抗性キュウリ植物によれば、褐斑病およびうどんこ病の発生による収量低下および農薬使用の増加などの経済的ならびに労力的な損失を、大きく軽減できる。【選択図】図４
2014168430.tif 000002
【特許請求の範囲】
【請求項１】
第６染色体上に褐斑病抵抗性遺伝子座を有することを特徴とする褐斑病抵抗性キュウリ植物。
【請求項２】
前記褐斑病抵抗性遺伝子座が、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２からなる群から選択された少なくとも一つのＡＦＬＰマーカーを有する、請求項１記載の褐斑病抵抗性キュウリ植物。
【請求項３】
前記褐斑病抵抗性キュウリが、受託番号ＦＥＲＭ  ＡＰ−２２２４５で特定されるキュウリ植物またはその後代系統である、請求項１または２記載の褐斑病抵抗性キュウリ植物。
【請求項４】
前記褐斑病抵抗性キュウリ植物が、植物体またはその部分である、請求項１から３のいずれか一項に記載の褐斑病抵抗性キュウリ植物。
【請求項５】
前記褐斑病抵抗性キュウリ植物が種子である、請求項１から４のいずれか一項に記載の褐斑病抵抗性キュウリ植物。
【請求項６】
前記褐斑病抵抗性キュウリ植物が、さらに、うどんこ病抵抗性を有する、請求項１から５のいずれか一項に記載の褐斑病抵抗性キュウリ植物。
【請求項７】
下記（ａ）および（ｂ）工程を含むことを特徴とする褐斑病抵抗性およびうどんこ病抵抗性を示すキュウリ植物の製造方法。
（ａ）請求項１〜５のいずれか一項に記載の褐斑病抵抗性キュウリ植物と、うどんこ病抵抗性キュウリ植物とを交雑する工程
（ｂ）前記（ａ）工程より得られたキュウリ植物またはその後代系統から、褐斑病抵抗性およびうどんこ病抵抗性を備えるキュウリ植物を選抜する工程
【請求項８】
前記（ａ）工程に先立って、下記（ｘ）工程を有する、請求項７記載の製造方法。
（ｘ）請求項１〜５のいずれか一項に記載の褐斑病抵抗性キュウリ植物を選抜する工程
【請求項９】
前記（ｘ）工程における前記選抜が、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２からなる群から選択された少なくとも１つのＡＦＬＰマーカーで特定される褐斑病抵抗性キュウリ植物の選抜である、請求項８記載の製造方法
【請求項１０】
前記（ｂ）工程における前記選抜が、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２からなる群から選択された少なくとも１つのＡＦＬＰマーカーで特定されるキュウリ植物の選抜である、請求項７から９のいずれか一項に記載の製造方法。
【請求項１１】
前記（ａ）工程の前記褐斑病抵抗性キュウリ植物が、受託番号ＦＥＲＭ  ＡＰ−２２２４５で特定されるキュウリ植物またはその後代系統である、請求項７から１０のいずれか一項に記載の製造方法。
【発明の詳細な説明】
【技術分野】
【０００１】
本発明は、褐斑病抵抗性キュウリ植物、ならびに、褐斑病抵抗性およびうどんこ病抵抗性を示すキュウリ植物の製造方法に関する。
【背景技術】
【０００２】
キュウリ褐斑病は、糸状菌の一種であるCorynespora cassiicolaによって引き起こされる病害である。褐斑病に罹病したキュウリ植物は、葉に円形の褐色または黒色の斑点を生じ、この病害が進行すると、葉の黄化または落葉が生じ、果実収量が大きく低下する。褐斑病の発生は、世界中で認められており、高温多湿の条件下で発生しやすいことから、特に、日本においては、施設栽培で甚大な被害となっており、その防除に、多大な労力およびコストを費やしている。
【０００３】
うどんこ病は、褐斑病と並ぶキュウリの重要病害であり、Sphaerotheca fuliginea、Erysiphe polygoniおよびLeveillula tauricaによって引き起こされる病害である。特に、日本におけるうどんこ病は、Sphaerotheca fuligineaによって引き起こされるものが一般的である。うどんこ病の病徴は、主に葉において発生し、キュウリの収量および品質を低下させることである。そして、うどんこ病は、春および秋に特に多く発生し、冬春期の温室栽培では有効なうどんこ病抵抗性の品種がないため、その防除に、多大な労力およびコストを費やしている。
【０００４】
このため、褐斑病およびうどんこ病の両方に対して抵抗性を備えるキュウリの育成が、従来から望まれており、様々な品種の育成が試みられている。
【０００５】
しかしながら、現存する褐斑病抵抗性の品種において、その抵抗性遺伝子座の遺伝様式は劣性である。このため、抵抗性遺伝子座を導入する育種を行い、流通される一般的なＦ１品種を育成するには、両親系統に、前記抵抗性遺伝子座を持たせる必要があり、さらに、劣性遺伝子のため、抵抗性の選抜効率が悪いという問題がある。さらに、前記褐斑病抵抗性遺伝子を備える植物体は、うどんこ病に対して罹病性であり、すなわち、うどんこ病の罹病性と褐斑病の抵抗性との間、および、うどんこ病の抵抗性と褐斑病の罹病性との間には、強い連鎖があることが、従来から知られている。このため、前記両病害に対する抵抗性を備えるキュウリを育成することは、極めて困難となっている。
【０００６】
欧米で一般的に育成されているスライス型の品種Ｗｉｓｃｏｎｓｉｎ２７５７およびＭａｒｋｅｔｍｏｒｅ９７等は、褐斑病とうどんこ病の両方に対して抵抗性を備えるとの研究報告がある。しかしながら、これらの品種の抵抗性は、十分ではない。また、一般的に短形白イボと呼ばれる日本型のキュウリについては、前記両病害に対して十分な抵抗性を備える品種は報告がない（非特許文献１〜４）。
【０００７】
一方、遺伝子組換え技術によって、前記両病害に対する抵抗性を備える品種を開発する方法もあるが、消費者の観点から、安全性に対する不安感は依然として高い。したがって、遺伝子組換え技術を用いることなく、前記両病害に対する抵抗性を備える品種が提供されることが、強く求められている。
【先行技術文献】
【非特許文献】
【０００８】
【非特許文献１】Lane  et  al.,  HortScience.  1985;  20:  593  (Abstract)
【非特許文献２】Henry  et  al.,  Cucurbit  Genetics  Cooperative  Report  10:1  (article  1)  1987
【非特許文献３】Jason  Cavatorta  et  al.,  HortScience.  2007;  42(3):707-709
【非特許文献４】Morishita,  M  et  al.,  J.  Japan.  Soc.  Hort.  Sci.  2002;  71(1):  94-100
【発明の概要】
【発明が解決しようとする課題】
【０００９】
そこで、本発明は、新たな褐斑病抵抗性キュウリ植物、ならびに、それを用いた褐斑病抵抗性およびうどんこ病抵抗性を示すキュウリ植物の製造方法の提供を目的とする。
【課題を解決するための手段】
【００１０】
前記目的を達成するために、本発明の褐斑病抵抗性キュウリ植物は、第６染色体上に褐斑病抵抗性遺伝子座を有することを特徴とする。
【００１１】
本発明の褐斑病抵抗性およびうどんこ病抵抗性を示すキュウリ植物の製造方法は、
下記（ａ）および（ｂ）工程を含むことを特徴とする。
（ａ）前記本発明の褐斑病抵抗性キュウリ植物と、うどんこ病抵抗性キュウリ植物とを交雑する工程
（ｂ）前記（ａ）工程より得られたキュウリ植物またはその後代系統から、褐斑病抵抗性およびうどんこ病抵抗性を備えるキュウリ植物を選抜する工程
【発明の効果】
【００１２】
本発明の褐斑病抵抗性キュウリ植物によれば、褐斑病はもちろんのこと、さらに、うどんこ病抵抗性キュウリ植物と交雑することによって、褐斑病およびうどんこ病の両方に対して優れた抵抗性を示すキュウリ植物を得ることができる。これにより、褐斑病およびうどんこ病の発生による収量低下および農薬使用の増加等に伴う労力およびコスト軽減が大きく図れ、また、消費者のニーズに適したキュウリ植物の提供が可能となる。
【図面の簡単な説明】
【００１３】
【図１】褐斑病の発病指数を示す図である。
【図２】褐斑病の発病度と、ＡＦＬＰマーカーのマーカー多型との関係を示す図である。
【図３】褐斑病の発病度と、ＡＦＬＰマーカーのマーカー多型との関係を示す図である。
【図４】褐斑病菌の接種試験の結果を示す図である。
【図５】うどんこ病菌の接種試験の結果を示す図である。
【発明を実施するための形態】
【００１４】
（１）褐斑病抵抗性キュウリ植物
本発明の褐斑病抵抗性キュウリ植物は、前述のように、第６染色体上に褐斑病抵抗性遺伝子座を有することを特徴とする。
【００１５】
本発明において、「キュウリ植物」は、Cucumis sativus L.である。
【００１６】
前記キュウリ植物のタイプは、特に制限されず、例えば、短形白イボ、四葉、英国温室型、スライス型、ベイトアルファ型等、どのタイプのキュウリでも良いが、短形白イボ型キュウリが好ましい。
【００１７】
本発明の褐斑病抵抗性キュウリ植物は、キュウリ褐斑病に抵抗性を示す。キュウリ褐斑病の病原体は、特に制限されず、Corynespora cassiicolaがあげられる。
【００１８】
本発明において、「褐斑病抵抗性」は、例えば、「褐斑病耐性」ともいう。前記抵抗性は、例えば、褐斑病の発生および進行に対する阻害能または抑制能を意味し、具体的に、例えば、病害の未発生、発生した病害の進行の停止、および、発生した病害の進行の抑制（阻害ともいう）等のいずれでもよい。病害の未発生、進行の停止および抑制は、例えば、細胞への病原体の感染自体の抑制によるものでもよいし、感染細胞における病原体の増殖の抑制によるものでもよいし、感染した細胞から他の細胞への病原体の感染（拡散ともいう）の抑制等によるものでもよい。
【００１９】
本発明において、前記褐斑病抵抗性は、第６染色体上の前記褐斑病抵抗性遺伝子座によってもたらされる。本発明の褐斑病抵抗性キュウリ植物は、前記褐斑病抵抗性遺伝子座を第６染色体上に有するが、例えば、第６染色体に代えて、第５染色体以外の染色体上、つまり、第１染色体、第２染色体、第３染色体、第４染色体および第７染色体のいずれかの染色体上に有してもよい。
【００２０】
褐斑病抵抗性遺伝子座とは、褐斑病抵抗性を供与する量的形質遺伝子座または遺伝子領域を意味する。前記量的形質遺伝子座（Ｑｕａｎｔｉｔａｔｉｖｅ  Ｔｒａｉｔｓ  Ｌｏｃｉ；ＱＴＬ）は、一般に、量的形質の発現に関与する染色体領域を意味する。ＱＴＬは、染色体上の特定の座を示す分子マーカーを使用して規定できる。前記分子マーカーを使用してＱＴＬを規定する技術は、当該技術分野において周知である。
【００２１】
本発明において、前記褐斑病抵抗性遺伝子座の規定に使用する分子マーカーは、特に制限されない。前記分子マーカーは、例えば、ＡＦＬＰ（分子増幅断片長多型、amplified  fragment  length  polymorphism）マーカー、ＲＦＬＰ（restriction  fragment  length  polymorphism）マーカー、ＳＮＰ（single  nucleotide  polymorphism）マーカー、マイクロサテライトマーカー、ＳＣＡＲ（sequence−characterized  amplified  region）マーカーおよびＣＡＰＳ（cleaved  amplified  plymorphic  sequence）マーカー等があげられる。
【００２２】
前記ＡＦＬＰマーカーは、特に制限されず、例えば、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２等があげられる。前記マーカーは、それぞれ、スラッシュ（／）の前後に示す二つのプライマーを用いた核酸増幅（例えば、ＰＣＲ法）により、ハイフン（−）の後ろに示す数値（塩基長）の増幅産物が生成されることを示す。一例をあげると、Ｅ１５／Ｍ６２−１０２の場合、プライマーＥ１５とＭ６２とを使用した核酸増幅により、１０２ｂｐの増幅産物が生成されることを示す。なお、これらの各ＡＦＬＰマーカーの表記は、当該技術分野における当業者であれば、本願の出願時の技術常識から理解可能である。また、前記各プライマーの配列は、後述する実施例に示す通りである。
【００２３】
前記ＡＦＬＰマーカーによって前記褐斑病抵抗性遺伝子座を規定する場合、本発明の褐斑病抵抗性キュウリ植物は、前記褐斑病抵抗性遺伝子座が、第５染色体以外の染色体、好ましくは第６染色体上に、前記ＡＦＰＬマーカーを有していることが好ましい。本発明の褐斑病抵抗性キュウリ植物は、前記ＡＦＰＬマーカーのうち、いずれか１個を有してもよいし、２個以上、すなわち、２個、３個、４個、５個、６個、７個、８個、９個または１０個全てを有してもよい。
【００２４】
前記褐斑病抵抗性の程度は、例えば、下記文献に記載の方法に準じて、発病度により表わすことができる。
『キュウリ褐斑病の発生生態と防除に関する研究』大分県農業技術センター特別研究報告  第２号  別刷ｐ１１−１３（発行年１９９３年）
この方法による前記発病度の算出は、後述する実施例１の記載を援用でき、例えば、発病度２．１以下を耐病性、発病度３．１以上を罹病性と設定できる。
【００２５】
前記褐斑病抵抗性の程度は、例えば、この他にも、品種登録時の植物抵抗性評価審査基準（http://www.hinsyu.maff.go.jp/info/sinsakijun/botanical_taxon.html#C  p31）等により、評価することもできる。
【００２６】
本発明の褐斑病抵抗性キュウリ植物は、一例として、受託番号ＦＥＲＭ  ＡＰ−２２２４５で寄託されたキュウリ植物またはその後代系統があげられる。寄託の情報を以下に示す。
寄託の種類：国内寄託
寄託機関名：独立行政法人製品評価技術基板機構
受託番号：ＦＥＲＭ  ＡＰ−２２２４５
識別のための表示：Ｔａｋｉｉ１
受領日：２０１２年１２月２７日
【００２７】
本発明の褐斑病抵抗性キュウリ植物について、病害抵抗性以外の特徴、例えば、形質的、生態的特徴等は、特に限定されない。具体例として、短形白イボキュウリの場合、例えば、草姿は、比較的に葉が小さいために栽培管理がしやすく、側枝の発生が多く、また、果実は濃緑色で、その形は円筒形であることが例示できる。
【００２８】
本発明の褐斑病抵抗性キュウリ植物は、さらに、うどんこ病抵抗性を有してもよい。この場合、本発明の褐斑病抵抗性キュウリ植物は、前記両病害に対する抵抗性を有することから、「褐斑病・うどんこ病両抵抗性キュウリ植物」と示す場合もある。前記褐斑病・うどんこ病両抵抗性キュウリ植物は、前記両病害による被害を防ぐことが可能であり、商品価値が高い。前記褐斑病・うどんこ病両抵抗性キュウリ植物は、後述するように、前記褐斑病抵抗性キュウリ植物と、うどんこ病抵抗性キュウリ植物の交雑により得ることができる。なお、この製造方法の詳細は、後述する。
【００２９】
本発明の褐斑病抵抗性キュウリ植物によれば、前述のように、親として、うどんこ病抵抗性キュウリ植物と交雑することにより、褐斑病抵抗性とうどんこ病抵抗性とを兼ね備えるＦ１品種のキュウリ植物を得ることができる。このような、親として使用する本発明の褐斑病抵抗性キュウリ植物は、例えば、前述のような分子マーカーを有するキュウリ植物の選択や、褐斑病菌を接種し、抵抗性のある個体を選択することにより得ることができる。また、親として使用する前記褐斑病抵抗性キュウリ植物は、中でも、前記受託番号で特定されるキュウリ植物またはその後代系統が好ましい。
【００３０】
うどんこ病の病原体は、特に制限されず、例えば、Podoshaera xanthii、Erysiphe polygoni、Leveillula taurica、Erysiphe cichoracearum等があげられる。
【００３１】
本発明において、「うどんこ病抵抗性」は、例えば、「うどんこ病耐性」ともいう。前記抵抗性は、例えば、うどんこ病の発生および進行に対する阻害能または抑制能を意味し、具体的に、病害の未発生、発生した病害の進行の停止、および、発生した病害の進行の抑制（阻害ともいう）等のいずれでもよい。病害の未発生、進行の停止および抑制は、例えば、細胞への病原体の感染自体の抑制によるものでもよいし、感染細胞における病原体の増殖の抑制によるものでもよいし、感染した細胞から他の細胞への病原体の感染（拡散ともいう）の抑制等によるものでもよい。
【００３２】
本発明の褐斑病抵抗性キュウリ植物が、さらに、うどんこ病抵抗性を有する場合、うどんこ病抵抗性は、うどんこ病抵抗性遺伝子座によってもたらされる。本発明において、うどんこ病抵抗性遺伝子座は、例えば、第５染色体上に座乗することが好ましく、一般的に、うどんこ病抵抗性キュウリ植物は、前記うどんこ病抵抗性に最も寄与する抵抗性遺伝子を、第５染色体上に有している（Zhang,  S  et  al.,  Scientia  Agricultura  Sinica  2011;2011-17）。
【００３３】
うどんこ病抵抗性遺伝子座とは、うどんこ病抵抗性を供与する量的形質遺伝子座または遺伝子領域を意味する。前記うどんこ病抵抗性遺伝子座の規定に使用する分子マーカーは、特に制限されず、例えば、EAACMCAC391-395STS（Sakata,  Y  et  al.,  Theor.  Appl.  Genet.  2006;112:243−250）があげられるが、本発明は、これには制限されない。
【００３４】
前記うどんこ病抵抗性の程度は、例えば、前記非特許文献４（Morishita,  M  et  al.,  J.  Japan.  Soc.  Hort.  Sci.  2002;71(1):94-100）、および、Sakata,  Y  et  al.,  Theor.  Appl.  Genet.  2006;112:243−250に記載の方法に準じて、発病度により表わすことができる。この方法による前記発病度の算出は、後述する実施例３の記載を援用でき、例えば、発病度３以下を耐病性、発病度７以上を罹病性と設定できる。
【００３５】
本発明において、「植物体」は、植物全体を示す植物個体および前記植物個体の部分のいずれの意味であってもよい。前記植物個体の部分は、例えば、器官、組織、細胞または栄養繁殖体等があげられ、いずれでもよい。前記器官は、例えば、花弁、花冠、花、葉、種子、果実、茎、根等があげられる。前記組織は、例えば、前記器官の部分である。前記植物体の部分は、例えば、一種類の器官、組織および／または細胞でもよいし、二種類以上の器官、組織および／または細胞でもよい。
【００３６】
（２）褐斑病・うどんこ病両抵抗性キュウリ植物の製造方法
つぎに、本発明の褐斑病抵抗性およびうどんこ病抵抗性を示すキュウリ植物（褐斑病・うどんこ病両抵抗性キュウリ植物）の製造方法について説明する。なお、以下の方法は、例示であって、本発明は、これらの方法に制限されない。本発明において、製造方法は、例えば、育成方法ということもできる。
【００３７】
本発明の褐斑病・うどんこ病両抵抗性キュウリ植物の製造方法は、前述のように、下記（ａ）および（ｂ）工程を含むことを特徴とする。
（ａ）本発明の褐斑病抵抗性キュウリ植物と、うどんこ病抵抗性キュウリ植物とを交雑する工程
（ｂ）前記（ａ）工程より得られたキュウリ植物またはその後代系統から、褐斑病抵抗性およびうどんこ病抵抗性を備えるキュウリ植物を選抜する工程
【００３８】
本発明の製造方法は、前記本発明の褐斑病抵抗性キュウリ植物を親として使用することが特徴であって、その他の工程および条件は、何ら制限されない。
【００３９】
前記（ａ）工程において、第一の親として使用する褐斑病抵抗性キュウリ植物は、前記本発明の褐斑病抵抗性キュウリ植物であればよい。前記褐斑病抵抗性キュウリ植物は、例えば、前述のような受託番号ＦＥＲＭ  ＡＰ−２２２４５で寄託されたキュウリ植物またはその後代系統が好ましい。また、前記褐斑病抵抗性キュウリ植物は、例えば、前記（ａ）工程に先立って、例えば、被検キュウリ植物（候補キュウリ植物ともいう）から、下記（ｘ）工程により選抜して準備してもよい。
（ｘ）前記本発明の褐斑病抵抗性キュウリ植物を選抜する工程
【００４０】
前記（ｘ）工程において、前記褐斑病抵抗性キュウリ植物の選抜は、例えば、下記（ｘ１）工程および（ｘ２）工程により行うことができる。
（ｘ１）被検キュウリ植物の染色体上における、褐斑病抵抗性遺伝子座の有無を検出する検出工程
（ｘ２）前記褐斑病抵抗性遺伝子座の存在により、前記被検キュウリ植物を、褐斑病抵抗性キュウリ植物として選抜する選抜工程
【００４１】
前記（ｘ）工程における前記褐斑病抵抗性キュウリ植物の選抜は、例えば、前述のような分子マーカーを利用できる。具体的には、前記分子マーカーは、例えば、前述した、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２からなる群から選択された少なくとも１つのＡＦＬＰマーカーがあげられ、前記ＡＦＬＰマーカーで特定される前記褐斑病抵抗性キュウリ植物の選抜があげられる。すなわち、前記（ｘ１）工程において、例えば、前記マーカーの有無によって前記褐斑病抵抗性遺伝子座の有無を検出する。これによって、前記（ｘ２）工程において、前記被検キュウリ植物から、前記ＡＦＬＰマーカーを有するものを、前記褐斑病抵抗性キュウリ植物として選抜できる。
【００４２】
前記（ｘ）工程において、前記分子マーカーとしてＡＦＬＰマーカーを使用する場合、例えば、Ｅ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２からなる群から選択された少なくとも１つを検出すればよく、好ましくは２つ以上、すなわち、２つ、３つ、４つ、５つ、６つ、７つ、８つ、９つまたは全てについて検出してもよい。
【００４３】
前記褐斑病抵抗性遺伝子座の有無を検出する染色体は、第５染色体以外であればよく、好ましくは、第６染色体である。
【００４４】
また、前記（ａ）工程において、他方の親として使用するキュウリ植物は、うどんこ病抵抗性を有していればよく、特に制限されない。交雑に使用する前記うどんこ病抵抗キュウリ植物は、例えば、うどんこ病抵抗性の公知キュウリ植物を使用してもよいし、自然発病の有無または病原体の接種により選抜したうどんこ病抵抗性のキュウリ植物を使用してもよく、選抜方法は、何ら制限されない。前記うどんこ病抵抗性の公知キュウリ植物としては、例えば、夏すずみ（タキイ種苗）、つばさ（タキ種苗）等があげられる。
【００４５】
前記（ａ）工程において、前記褐斑病抵抗性キュウリ植物と前記うどんこ病抵抗性キュウリ植物との交雑方法は、特に制限されず、公知の方法が採用できる。
【００４６】
前記（ｂ）工程において、褐斑病抵抗性およびうどんこ病抵抗性を選抜する対象は、例えば、前記（ａ）工程より得られたキュウリ植物でもよいし、さらに、そのキュウリ植物から得られた後代系統でもよい。具体的に、前記対象は、例えば、前記（ｂ）工程の交雑によって得られたＦ１のキュウリ植物でもよいし、その後代系統でもよい。前記後代系統は、例えば、前記（ｂ）工程の交雑によって得られたＦ１のキュウリ植物の自殖交雑後代または戻し交雑後代でもよいし、前記Ｆ１のキュウリ植物と別のキュウリ植物とを交雑することによって得られたキュウリ植物であってもよい。
【００４７】
前記（ｂ）工程において、褐斑病・うどんこ病両抵抗性キュウリ植物の選抜は、例えば、褐斑病抵抗性およびうどんこ病抵抗性を、直接的または間接的に確認することにより行うことができる。
【００４８】
前記（ｂ）工程において、前記直接的な確認は、得られた前記Ｆ１のキュウリ植物またはその後代系統について、例えば、褐斑病抵抗性およびうどんこ病抵抗性を、前述のような発病度によって評価することで行える。具体的には、例えば、前記Ｆ１のキュウリ植物またはその後代系統に対して、例えば、褐斑病の病原体およびうどんこ病の病原体を、それぞれ接種して、各病害に対する抵抗性を、前記発病度によって評価することで確認できる。この場合、例えば、２．２未満の褐斑病発病度を示し、且つ、３以下のうどんこ病発病度を示す前記Ｆ１のキュウリ植物またはその後代系統を、褐斑病・うどんこ病両抵抗性キュウリ植物として選抜できる。
【００４９】
また、前記（ｂ）工程において、前記間接的な確認による選抜は、例えば、下記（ｂ１）および（ｂ２）工程によって行うことができる。
（ｂ１）前記（ａ）工程より得られたキュウリ植物またはその後代系統について、染色体上における、褐斑病抵抗性遺伝子座およびうどんこ病抵抗性遺伝子座の有無を検出する検出工程
（ｂ２）前記褐斑病抵抗性遺伝子座およびうどんこ病抵抗性遺伝子座の存在により、前記（ａ）工程により得られたキュウリ植物またはその後代系統を、褐斑病抵抗性およびうどんこ病抵抗性を備えるキュウリ植物として選抜する選抜工程
【００５０】
前記（ｂ）工程における褐斑病抵抗性キュウリ植物の選別は、例えば、前記（ｘ）工程において説明した方法と同様であり、前記褐斑病抵抗性遺伝子座の有無の検出によって、より具体的には、前記分子マーカーを使用した前記褐斑病抵抗性遺伝子座の有無の検出によって、行うことができる。
【００５１】
前記（ｂ）工程におけるうどんこ病抵抗性キュウリ植物の選別は、例えば、うどんこ病抵抗性遺伝子座の有無の検出、より具体的には、前記分子マーカーを使用した前記うどんこ病抵抗性遺伝子座の有無の検出によって行うことができる。前記うどんこ病抵抗性遺伝子座の有無を検出する染色体は、第５染色体が好ましい。
【００５２】
本発明の製造方法は、前記（ｂ）工程において選抜された褐斑病・うどんこ病両抵抗性キュウリ植物を、さらに育成することが好ましい。
【００５３】
このように、前記褐斑病抵抗性および前記うどんこ病抵抗性の両方が確認された前記キュウリ植物またはその後代系統を、褐斑病・うどんこ病両抵抗性キュウリ植物として選抜できる。
【実施例】
【００５４】
以下、実施例を用いて本発明を詳細に説明するが、本発明は実施例に記載された態様に限定されるものではない。
【００５５】
［実施例１］
新規な褐斑病抵抗性キュウリ植物について、褐斑病抵抗性遺伝子座の遺伝様式の解析を行った。
【００５６】
褐斑病抵抗性キュウリ植物は、受託番号ＦＥＲＭ  ＡＰ−２２２４５で寄託されたキュウリ植物を使用した。以下、この褐斑病抵抗性キュウリ植物を寄託系統という。
【００５７】
前記寄託系統のキュウリ植物と、褐斑病罹病性キュウリ植物「北進（タキイ種苗）」とを交雑することによって、７７個体のＦ２分離集団（以下、７７系統という）を得た。さらに、前記７７系統をそれぞれ自殖させることによって、自殖後代Ｆ３を得た。各系統のＦ３をそれぞれ１０個体使用し、以下に示すように、キュウリ褐斑病菌の接種試験を行った。
【００５８】
キュウリ褐斑病菌の接種試験は、下記文献に記載の方法に準じて行った。
『キュウリ褐斑病の発生生態と防除に関する研究』大分県農業技術センター特別研究報告  第２号  別刷ｐ１１−１３（発行年１９９３年）
【００５９】
前記キュウリ褐斑病菌は、滋賀県内の圃場で発生した褐斑病罹病キュウリ植物より培養した、Ｃｃａ８３１を使用した。前記菌体をＰＳＡ平板培地で８日間培養し、培養後の菌体を採取し、滅菌蒸留水を加え、キムワイプ（日本製紙クレシア社製）でろ過した。ろ過により得られた分生子（胞子）懸濁液を接種源として使用した。
【００６０】
Ｆ３の前記各系統１０個体を、予め、もみがら燻炭に播種し、殺菌した土壌をつめた１／１０，０００の１ａワグネルポットに鉢植えした。そして、接種試験には、本葉３葉展開期の個体を使用した。まず、噴霧器を使用して、前記分生子懸濁液を、Ｆ３の前記各系統１０個体の茎葉全体に、均一に噴霧した。その後、２７℃、湿度８０〜９０％、１４，０００ｌｕｘ、１０時間日長に設定した人工気象室で、栽培管理した。接種９日後に、Ｆ３の前記各系統について、以下のように発病調査を行った。
【００６１】
発病調査は、前記文献の方法に準じて行い、発病指数は、以下のように分類した。図１に、各発病指数に該当する葉の写真を示す。
発病指数１：１葉の病斑面積率が５％以下で、ごく軽微なカスリ状の微小斑点のみ
発病指数２：１葉の病斑面積率が６〜２５％で、小型の褐色病斑を形成
発病指数３：１葉の病斑面積率が２６〜５０％で、褐色病斑が拡大し、一部で融合
発病指数４：１葉の病斑面積率が５１％以上で、褐色病斑の融合が進展し、葉が奇形化
【００６２】
そして、Ｆ３の各個体について発病指数を求め、下記式より、それぞれ対応するＦ２の７７系統の各個体の発病度とした。
発病度＝［（1×n1）＋（2×n2）＋（3×n3）＋（4×n4）］／調査個体数
前記式において、「１、２、３、４」は、それぞれ発病指数を示し、「ｎ１、ｎ２、ｎ３、ｎ４」は、それぞれ、発病指数１、発病指数２、発病指数３、発病指数４の発病葉数を示す。
【００６３】
その結果、Ｆ２の発病度と、各発病度に該当する個体の出現頻度の関係は、以下の通りであった。
発病度１．０以上２．２未満：３７個体
発病度２．２以上３．０未満：２７個体
発病度３．０以上４．０以下：１３個体
【００６４】
これら結果から、前記受託系統（受託番号ＦＥＲＭ  ＡＰ−２２２４５）の褐斑病抵抗性の遺伝様式は、不完全優性であることが推測できた。従来のキュウリ植物の褐斑病抵抗性因子は、単因子劣性であることが知られている。このため、前記寄託系統は、新規な褐斑病抵抗性遺伝子座を持つことが明らかとなった。
【００６５】
［実施例２］
前記実施例１におけるＦ２の７７系統について、新規な褐斑病抵抗性遺伝子座の特定を行った。
【００６６】
前記７７系統からそれぞれ抽出したＤＮＡについて、以下のプライマーの組合せを用いて、ＡＦＬＰ解析を行った。マーカーの結果は、後述するが、例えば、「ＡＦＬＰマーカーＥ１２／Ｍ５１−１６０」は、プライマーＥ１２およびＭ５１によって増幅される１６０ｂｐの断片という意味である。
ＥｃｏＲＩ部位側のプライマー
Ｅ１１：GACTGCGTACCAATTCAA（配列番号１）
Ｅ１２：GACTGCGTACCAATTCAC（配列番号２）
Ｅ１５：GACTGCGTACCAATTCCA（配列番号３）
ＭｓｅＩ部位側のプライマー
Ｍ４９：GATGAGTCCTGAGTAACAG（配列番号４）
Ｍ５１：GATGAGTCCTGAGTAACCA（配列番号５）
Ｍ５４：GATGAGTCCTGAGTAACCT（配列番号６）
Ｍ６２：GATGAGTCCTGAGTAACTT（配列番号７）
【００６７】
ＡＦＬＰに使用するプライマー組合せ（primer  combination；ＰＣ）は、ＥｃｏＲＩ／ＭｓｅＩを制限酵素サイトとする４８種類の中から、多型を得るのに適した２０種類に限定した。そして、前記ＡＦＬＰのデータを、専用のソフトウェア（CarteBlanche  software、キージーン  Ｎ．  Ｖ．  ワーゲニンゲン、オランダ）により解析し、遺伝子地図作成を行った。１９３個の共優性的に検出されたマーカーのうち、計１６６個のマーカーを、少なくとも３つのマーカーを含む１０の連鎖群に分けた。遺伝子地図の全長は５７３．９ｃＭであった。
【００６８】
ＱＴＬを特定するため、Windows（登録商標）  QTL  cartographer  2.0（ワン  Ｓ．，  Ｃ．  Ｊ．  バステン，  Ｚ．  Ｂ．  ツァン，  ノースカロライナ州立大学統計学部、ＵＳＡ）を使用した。解析は、単一マーカー分析、間隔マッピングおよび合成間隔マッピングの３種類の統計学的方法により行った。
【００６９】
前記単一マーカー分析（Single  Marker  Analysis；ＳＭＡ）は、マーカー位置における個々の遺伝子型と、それらの対応する表現型の値との相関関係を検出する方法である。マーカー位置毎に尤度検定を行い、ピークが閾値を越えたときにＱＴＬが存在するとした。前記ＳＭＡでは、閾値を３．５に設定した。
【００７０】
前記間隔マッピング（Interval  mapping；ＩＭ）は、ＳＭＡの延長である。ＩＭでは、２つの隣接するマーカーを使用し、ＱＴＬが存在すると仮定した間隔を構築する。そして、尤度検定を行い、ＱＴＬの存否を決定する。ＬＯＤ（検出限界）値は、間隔における各増加段階で計算した。ＬＯＤ値プロファイルも、ゲノム全体で計算した。ＩＭは、相加的効果および優性的効果のようなパラメータ、因子寄与ならびにいくつかの試験された他の位置パラメータも計算する。ピークが、並べ替え検定による閾値を越えたとき、ＱＴＬが存在するとした。ＩＭでは、閾値を３．７に設定した。
【００７１】
前記合成間隔マッピング（Composite  Interval  Mapping；ＣＩＭ）は、ＩＭの方法と同じ解析だが、ゲノムの他の領域におけるマーカーからの回帰係数を含めることにより、他のＱＴＬからの分散を考慮する方法である。ＣＩＭでは、ＱＴＬが存在するとする閾値を３．８４とした。
【００７２】
前記３種の解析方法ＳＭＡ、ＩＭ、ＣＩＭの全てを行った結果、１つの連鎖群上に、ＣＩＭによるＬＯＤ値が１９．０６、ＳＭＡおよびＩＭによるＬＯＤ値も１２．０以上を示し、閾値を越える領域の間隔が２７．２ｃＭであるＱＴＬを、１つ検出した。また、最高ＬＯＤ値を示したマーカーは、Ｅ１２／Ｍ５１−１６０であった。
【００７３】
前記Ｅ１２／Ｍ５１−１６０に隣接する他の９つのマーカーの結果と、発病度との関係を図２および図３に示す。図２および図３において、「＋」は、増幅したこと示し、「−」は、増幅しなかったことを示し、「±」は、増幅量が＋と−との中間であったことを示し、「Ｕ」は、増幅の有無が不明瞭であったことを示す。図２および図３より、新規な褐斑病抵抗性遺伝子座は、ＡＦＬＰマーカーＥ１５／Ｍ６２−１０２、Ｅ１２／Ｍ６２−２３３、Ｅ１２／Ｍ５４−０７３、Ｅ１２／Ｍ５１−０６２、Ｅ１２／Ｍ５１−１６０、Ｅ１１／Ｍ６２−２３３、Ｅ１２／Ｍ４９−１７０、Ｅ１２／Ｍ６２−４２２、Ｅ１２／Ｍ６２−４２７およびＥ１５／Ｍ５４−５１２を含む領域に存在することが判明した。なお、図２および図３においては、ＡＦＬＰ解析を行った７７個体中、有効でない結果を除いた６３個体の結果を示した。
【００７４】
さらに、前記領域の染色体上の位置を知るため、Ｅ１２／Ｍ５１−１６０を示すＤＮＡ増幅断片の塩基配列を決定し、ウリ科ゲノムデータベース（http://www.icugi.org/cgi-bin/ICuGI/index.cgi）において、ＢＬＡＳＴ検索を行った。その結果、前記マーカーＥ１２／Ｍ５１−１６０は、第６染色体上に存在することが判明した。すなわち、本発明における、新規な褐斑病抵抗性遺伝子座は、第６染色体上に座上することが明らかになった。
【００７５】
また、図２および図３において、発病度と最も相関が高かったＡＦＬＰマーカーＥ１２／Ｍ５１−１６０について、発病度とマーカー多型との関係を、表１に示す。なお、ＡＦＬＰマーカーＥ１２／Ｍ５１−１６０について、マーカー多型が明確に判別できる系統は、調査した前記７７系統のうち６３系統であったため、下記表１では、６３系統についての結果を示す。
【００７６】
【表１】
2014168430.tif 000003
【００７７】
これらの結果により、褐斑病抵抗性である発病度２．１以下の個体は、全て抵抗性の多型を示したことから、ＡＦＬＰマーカーＥ１２／Ｍ５１−１６０を、育成選抜マーカーとした。
【００７８】
［実施例３］
前記実施例１の褐斑病抵抗性を示す寄託系統と、うどんこ病抵抗性系統のキュウリ植物とを交雑して、褐斑病・うどんこ病両抵抗性キュウリ植物を育成した。
【００７９】
前記うどんこ病抵抗性キュウリ植物は、「夏すずみ（タキイ種苗）」を使用した。そして、前記寄託系統のキュウリ植物と前記うどんこ病抵抗性キュウリ植物とを交雑することによって、自殖後代Ｆ２世代１９８個体を得た。
【００８０】
そして、前記自殖後代の個体から、ＡＦＬＰ解析によって、ＡＦＬＰマーカーＥ１２／Ｍ５１−１６０をホモ接合型で有する個体５１個体を選抜した。この選抜個体の自殖交雑後代Ｆ３世代に対して、以下のように、うどんこ病菌の接種試験を行った。
【００８１】
うどんこ病菌の接種試験は、前記非特許文献４（Morishita,  M  et  al.,  J.  Japan.  Soc.  Hort.  Sci.  2002;71(1):94−100）、および、Sakata,  Y  et  al.,  Theor.  Appl.  Genet.  2006;112:243−250に記載の方法に準じて行った。
【００８２】
うどんこ病罹病性のキュウリ品種「北進（タキイ種苗）」に感染したP. xanthiiを、単胞子継代培養した。得られた胞子を、接種源として使用した。また、前記自殖交雑後代Ｆ３世代５１０個体（１０個体×５１系統）を、培養土の入ったプラスチックトレイに播種し、第一本葉展開期の子葉を切り取り、接種した。接種は、５×１０５／ｍＬに希釈した前記胞子を、子葉全体に、均一に噴霧して行った。その後、２６℃、湿度６０％、１４０００ｌｕｘ、１６時間の日長に設定した人工気象室で、１０日間栽培管理した。接種１０日後に、以下のように発病調査を行った。
【００８３】
発病調査は、調査葉の標徴を目視で確認して行った。なお、標徴とは、罹病性植物体に現れる病原体の組織器官のことであり、うどんこ病の場合は白色の粉状に見える。発病指数は、以下のように分類した。
発病指数０：標徴が全くないか、標徴がほとんどない
発病指数１：わずかな標徴のみがある
発病指数２−３：うすい標徴がある
発病指数４−５：厚い標徴がある
発病指数６−７：非常に厚い標徴がある
発病指数８−９：葉全体が標徴で覆われている
【００８４】
そして、Ｆ３の各個体について発病指数を求め、下記式より、それぞれ、それぞれ対応するＦ２の５１系統の各個体の発病度とした。
発病度＝［（1×n1）+（2×n2）+（3×n3）+（4×n4）+（5×n5）+（6×n6）+（7×n7）+（8×n8）+（9×n9）］／調査個体数
前記式において、「１、２、３、４、５、６、７、８、９」は、それぞれ発病指数を示し、「ｎ１、ｎ２、ｎ３、ｎ４、ｎ５、ｎ６、ｎ７、ｎ８、ｎ９」は、それぞれ、発病指数１、発病指数２、発病指数３、発病指数４、発病指数５、発病指数６、発病指数７、発病指数８および発病指数９の発病葉数を示す。
【００８５】
そして、前記発病度が３以下の前記選抜個体１２個体を、褐斑病・うどんこ病両抵抗性系統として選抜した。つぎに、選抜した前記褐斑病・うどんこ病両抵抗性系統のキュウリ植物１２個体の中から、雌花の着生率が高く、側枝の発生が多く、葉が小さく、果形が安定しているなど、農業生産や品種改良において優れた形質をもつ１個体を選抜し、収量および草姿が優れるキュウリ植物「Vアーチ（タキイ種苗）」と交雑することによって、自殖後代を得た。そして、得られた前記自殖後代に対して、前述と同様にして、ＡＦＬＰマーカーＥ１２／Ｍ５１−１６０により褐斑病抵抗性個体を選抜した。さらに、選抜された個体の自殖後代を得て、前述と同様にして、うどんこ病菌の接種試験を行い、褐斑病／うどんこ病両抵抗性系統のキュウリ植物を得た。つぎに、これまでに行った手順を４回繰り返して、さらに自殖後代を得た。
【００８６】
各接種試験の結果を、図４および図５に示す。図４および図５は、それぞれ、最終的に得られた前記自殖後代の写真である。図４において、前記自殖後代である褐斑病・うどんこ病両抵抗性系統（発病度１．０）は、罹病性キュウリ品種（発病度４．０）、従来の褐斑病抵抗性キュウリ品種（発病度２．５）、および従来の褐斑病・うどんこ病両抵抗性キュウリ品種（発病度３．８）よりも、優れた抵抗性を備えていることが確認できた。また、図５において、褐斑病・うどんこ病両抵抗性系統（発病度０）は、罹病性キュウリ品種（発病度９．０）、従来のうどんこ病抵抗性キュウリ品種（発病度１．５）、および褐斑病・うどんこ病両抵抗性キュウリ品種（発病度３．０）よりも優れたうどんこ病抵抗性を備えていることが確認できた。
【産業上の利用可能性】
【００８７】
以上のように、本発明の褐斑病抵抗性キュウリ植物によれば、褐斑病はもちろんのこと、さらに、うどんこ病抵抗性キュウリ植物と交雑することによって、褐斑病およびうどんこ病の両方に対して優れた抵抗性を示すキュウリ植物を得ることができる。これにより、褐斑病およびうどんこ病の発生による収量低下および農薬使用の増加等に伴う労力およびコスト軽減が大きく図れ、また、消費者のニーズに適したキュウリ植物の提供が可能となる。
【図１】
2014168430.tif 000004
【図２】
2014168430.tif 000005
【図３】
2014168430.tif 000006
【図４】
2014168430.tif 000007
【図５】
2014168430.tif 000008
【配列表】
2014168430000001.app